(57)【要約】      （修正有）【課題】  使用済みペットボトルの回収に協力するのと、回収したペットボトルを再利用した植木鉢を提供する。【解決手段】  ペットボトルを上部と下部の二分割にして、上部の飲料水飲み口のネジ部外径寸法より少し大きめの穴を、市販の植木鉢の受け皿中心部に設けて、植木鉢の受け皿を伏せた状態で、飲み口のネジ部を上部より挿入し、その挿入したネジ部に、水漏れ防止の為のパッキンを挿入して、ペットボトルに使用していた蓋を以って、植木鉢の受け皿に締め付け固定する事で、台付きの簡易の植木鉢が完成する。  二分割した下部と共に、ペットボトルの内寸でオアシスを成形し、上部及び下部のペットボトル内に挿入してやれば、生花や造花又はドライフラワーを挿してやれることで、簡易の植木鉢として装飾することができる。【選択図】  図２
0003118786.tif 000002
【実用新案登録請求の範囲】
【請求項１】
生花や造花又はドライフラワーを挿して装飾するために、使用済みとなったペットボトルを使用して、簡易の植木鉢を加工するもので、ペットボトルの飲み口に向かって、テーパーとなる肩口までの太い部分の中程で、上部と下部の二分割とし、飲み口の付いた上部は、飲み口を下向きにして使用するため、生け花や盛り花等に使用しているオアシスを、ペットボトル内の寸法に合せて成形して挿入し、市販の植木鉢の受け皿中心部に、ペットボトルのネジ部外径寸法より、少し大きめの穴を設けて、植木鉢の受け皿の裏面より、ペットボトルのネジ部を挿入し、挿入されたネジ部に水漏れ防止用パッキンも挿入して、植木鉢の受け皿にペットボトルに使用していた蓋を以って、締め付け固定することを特徴とする簡易の植木鉢の構造。
【請求項２】
請求項１に於いて、ペットボトルを二分割した下部については、分割した状態で特に加工することなく、ペットボトル内の寸法に合わせて成形した、生け花や盛り花等に使用しているオアシスを挿入することで、生花や造花又はドライフラワーを挿して、飾り付けに用いることを目的とし、請求項１及び請求項２の製法で、蓋を含めて使用済ペットボトルの全てを利用した事を、特徴とする簡易の植木鉢の構造。
【考案の詳細な説明】
【技術分野】
【０００１】  本考案は、現在ペットボトルの使用が著しく多く、使用済みのペットボトルを回収するのも大変である。ここで、その回収に少しでも協力しようとすることにある。
【背景技術】
【０００２】  現在、使用されているペットボトルは、調味料や多くは飲料水等に用いられ、形状や大きさ等がばらばらで、使用済みペットボトルが各所に放置されていて、整理するのが大変である。
【考案の開示】
【考案が解決しようとする課題】
【０００３】  本考案に類似する考案を、愛知県の第５８回発明とくふう展（平成１６年１１月３日〜平成１６年１１月８日まで開催）に、実用新案登録第３１０６０４０号を出展する際に、簡易植木鉢に生の花木を植樹した時、水やりの関係で、困る事が予想された為に、生け花や盛り花等に使用しているオアシスを、ペットボトル内へ成形して挿入し、造花を挿して簡易植木鉢代わりにして展示した。（展示説明書には断り文を明記し表示した）【０００４】  本考案は、使用済みペットボトルが氾濫する昨今、ペットボトルの回収に少しでも協力するために、ペットボトルを用いて、ある程度の加工をして、現在盛んになっているガーデニングでの、用具の一部に使用してもらうべき考案である。
【課題を解決するための手段】
【０００５】  本考案が目的としている点は、使用済みとなったペットボトルを回収し、一部の加工を施して、生花や造花又はドライフラワー等で装飾するための簡易の植木鉢代りにしようとするものである。本考案が必要とするペットボトルは、出来る限り原形をとどめていて、形状及び大きさの揃ったものが望ましく、そして蓋もペットボトルを締め付け固定するのに、ナット代りとして使用するので、ペットボトルに蓋が付いているものが好ましい。【０００６】  本考案の簡易の植木鉢にするため、ペットボトルは上部と下部の二分割にし使用する。二分割した時に、上部下部共に美形になる形状のものがよく、ペットボトルの大きさとしては、一リットル前後の物が使い易い。使用するペットボトルは、丸形でも角形でもどちらであっても構わないが、二分割する時に、分割し易い形状のペットボトルが好ましい。【０００７】  ペットボトルを二分割し、上部は飲料水飲み口を下向きに使用するため、植木鉢の受け皿の中心部に、ペットボトルの飲料水飲み口の、ネジ部外径寸法より少し大きめの穴を設けて、ペットボトルの飲み口ネジ部を、穴を設けた植木鉢の受け皿の裏面より挿入した後に、水漏れ防止パッキンも飲み口ネジ部に挿入し、ペットボトルに使用していた蓋を以って締め付け固定する。【０００８】  二分割したペットボトルの下部には、特別な加工は行わなくても、簡易の植木鉢として使用可能であるが、二分割した時の切り口を、外側の方向にアール形状になるようカール加工することで、本考案での簡易の植木鉢としての観賞価値は上昇する。【０００９】  上部及び下部に分割したペットボトルの内寸に合わせて、生け花や盛り花に使用しているオアシスを成形して、各ペットボトルに挿入することで、本考案による簡易の植木鉢が完成し、生花を挿して水をオアシスに注入すればよく、造花又はドライフラワーを挿して飾る場合は水の注入は必要ない。併し、オアシスに水の注入がない場合で、ペットボトルを分割した下部については、簡易植木鉢全体が軽量で転倒し易い為、オアシス内に重りを挿入して置くことで転倒し難くなる効果がある。
【考案の効果】
【００１０】  本考案としては、使用済みペットボトルを回収して、ペットボトルの氾濫の防止のための、収集に協力するため不要となったペットボトルを、或る一部に過ぎないが、蓋も含めてペットボトルの全てを活用して、生花や造花或いはドライフラワー等で、装飾するための簡易の植木鉢に加工出来る効果である。
【考案を実施するための最良の形態】
【００１１】  図面を以って説明すると、使用済みペットボトル１をＡ−Ａ’で二分割し、飲み口４の付いている方を上部２とし、その下の部分は下部３として、上部２には上記で説明した如くに、植木鉢の受け皿５の中心穴６に上部２のネジ部７を挿入して、水漏れ防止パッキン８をネジ部７に入れて、蓋９を以って締め付け固定して、上部２を簡易の植木鉢１０として安定した装飾ができ、下部３については二分割の状態で、簡易の植木鉢１１として飾り付けに使用できる。
【実施例】
【００１２】  上記で説明したペットボトル１を、二分割して一部を加工した上部２及び下部３の内部に、オアシス１２を挿入して、生花や造花或いはドライフロワー等で装飾することで、現在盛んに行われている、ガーデニングにも寄与することができる。【００１３】  蓋を開ける前のペットボトルは、蓋９と蓋の緩み止め１３が連結しているが、蓋９を開ける時に、捻るとつながりが切れて、緩み止め１３はネジ部７の付け根に残るため、上部２のネジ部７で植木鉢の受け皿５を締め付ける時に、止め座の代用になる。
【図面の簡単な説明】
【００１３】
【図１】使用済みのペットボトルの正面図。
【図２】本考案による上部の簡易の植木鉢の一部断面説明図。
【図３】本考案による下部の簡易の植木鉢の一部断面説明図。
【図４】簡易の植木鉢内に挿入するオアシスの上部用と下部用の斜面図。
【符号の説明】
【００１４】
【図１】
１    使用済のペットボトル。
２    二分割したペットボトルの上部。
３    二分割したペットボトルの下部。
４    飲料水の飲み口。
５    市販の植木鉢の受け皿。
６    植木鉢の受け皿に設けた中心穴。
７    ペットボトル先端にあるネジ部。
８    水漏れ防止パッキン。
９    ペットボトルに使用してあった蓋。
１０    上部２のペットボトルで加工された簡易の植木鉢。
１１    下部３のペットボトルで出来た簡易の植木鉢。
１２    生け花、盛り花等に使用されているオアシス。
１３    蓋の緩み止め
【図１】
0003118786.tif 000003
【図２】
0003118786.tif 000004
【図３】
0003118786.tif 000005
【図４】
0003118786.tif 000006
【手続補正書】
【提出日】平成17年2月17日(2005.2.17)
【手続補正１】
【補正対象書類名】実用新案登録請求の範囲
【補正対象項目名】用語
【補正方法】変更
【補正の内容】
【書類名】実用新案登録請求の範囲
【請求項１】
請求項１の４行目中程より記載の文章のなかで、「オアシス」とある用語を「挿し床」と変更する。
【請求項２】
請求項２の３行目初め近くに記載の文章のなかで、「オアシス」とある用語を「挿し床」と変更する。
【手続補正書】
【提出日】平成17年5月30日(2005.5.30)
【手続補正１】
【補正対象書類名】実用新案登録請求の範囲
【補正対象項目名】全文
【補正方法】変更
【補正の内容】
【実用新案登録請求の範囲】
【請求項１】
生花や造花又はドライフラワーを挿して装飾するために、使用済みとなったペットボトルを使用して、簡易の植木鉢を加工するもので、ペットボトルの飲み口に向かって、テーパーとなる肩口までの太い部分の中程で、上部と下部の二分割とし、飲み口の付いた上部は、飲み口を下向きにして使用するため、生け花や盛り花等に使用している挿し床を、ペットボトル内の寸法に合せて成形して挿入し、市販の植木鉢の受け皿中心部に、ペットボトルのネジ部外径寸法より、少し大きめの穴を設けて、植木鉢の受け皿の裏面より、ペットボトルのネジ部を挿入し、挿入されたネジ部に水漏れ防止用パッキンも挿入して、植木鉢の受け皿にペットボトルに使用していた蓋を以って、締め付け固定することを特徴とする簡易の植木鉢の構造。
【請求項２】
請求項１に於いて、ペットボトルを二分割した下部については、分割した状態で特に加工することなく、ペットボトル内の寸法に合せて成形した、生け花や盛り花等に使用している挿し床を挿入することで、生花や造花又はドライフラワーを挿して、飾り付けに用いることを目的とし、請求項１及び請求項２の製法で、蓋を含めて使用済ペットボトルの全てを利用した事を、特徴とする簡易の植木鉢の構造。
【手続補正２】
【補正対象書類名】明細書
【補正対象項目名】００１３
【補正方法】変更
【補正の内容】
【００１３】
【図１】  使用済みのペットボトル。
【図２】  本考案による上部の簡易の植木鉢の一部断面図。
【図３】  本考案による下部の簡易の植木鉢の一部断面図。
【図４】  簡易の植木鉢内に挿入する挿し床の上部用と下部用の斜面図。
【手続補正書】
【提出日】平成17年8月3日(2005.8.3)
【手続補正１】
【補正対象書類名】実用新案登録請求の範囲
【補正対象項目名】全文
【補正方法】変更
【補正の内容】
【実用新案登録請求の範囲】
【請求項１】
生花や造花又はドライフラワーを挿して装飾するために、使用済みとなったペットボトルを使用して、簡易の植木鉢を加工するもので、ペットボトルの飲み口に向かって、テーパーとなる肩口までの太い部分の中程で、上部と下部の二分割とし、飲み口の付いた上部は、飲み口を下向きにして使用するため、生け花や盛り花等に使用している挿し床を、ペットボトル内の寸法に合せて成形して挿入し、植木鉢の受け皿中心部に、ペットボトルのネジ部外径寸法より、少し大きめの穴を設けて、植木鉢の受け皿の裏面より、ペットボトルのネジ部を挿入し、挿入されたネジ部に水漏れ防止用パッキンも挿入して、植木鉢の受け皿にペットボトルに使用していた蓋を以って、締め付け固定することを特徴とする簡易の植木鉢の構造。
【請求項２】
請求項１に於いて、ペットボトルを二分割した下部については、ペットボトル内の寸法に合せて成形した、生け花や盛り花等に使用している挿し床を組み込むことで、生花や造花又はドライフラワー等を挿して、装飾に用いることを目的とした簡易の植木鉢で、請求項１で使用した蓋を含めたペットボトルの上部と、請求項２で使用するペットボトルの下部とで、二種類の形状の異なった簡易の植木鉢を製作し、使用済みペットボトル１本の全てを利用した事を、特徴とする簡易植木鉢の構造。
【手続補正書】
【提出日】平成17年9月30日(2005.9.30)
【手続補正１】
【補正対象書類名】実用新案登録請求の範囲
【補正対象項目名】請求項２
【補正方法】変更
【補正の内容】
【請求項２】
請求項１に於いて、ペットボトルを二分割した下部については、ペットボトル内の寸法に合せて成形した、生け花や盛り花等に使用している挿し床を組み込むことで、生花や造花又はドライフラワー等を挿して、装飾に用いることを目的とした簡易の植木鉢で、請求項１で使用した蓋を含めたペットボトルの上部と下部とで、二種類の異なった簡易の植木鉢を製作し、使用済みペットボトル１本の全てを利用した事を、特徴とする簡易植木鉢の構造。